(57)【要約】【課題】構造を簡素化するなかで、空気室の気密性の向上と振動雑音の低減化とを図ると同時に、半完成品状態のもとでその良否判定を行うことができるダイナミックマイクロホンの提供。【解決手段】周壁部２３と底壁部２４とで画成される囲繞空間を空気室２５とする有底筒状を呈する中筒部２２と、該中筒部２２の開口部２７側を覆うマイクロホンユニット１２と、該マイクロホンユニット１２側と配線材Ｌを介して電気的に導通配置される出力コネクタ３２とを少なくとも備えるダイナミックマイクロホン１１において、弾性素材により形成された中筒部２２には、その開口部２７側にマイクロホンユニット１２を一体的に保持させるとともに、底壁部２４を介して出力コネクタ３２を一体的に保持させて該出力コネクタ３２とマイクロホンユニット１２とを一体化させた。【選択図】図１
2006319386.tif 000002
【特許請求の範囲】
【請求項１】
周壁部と底壁部とで画成される囲繞空間を空気室とする有底筒状を呈する中筒部と、該中筒部の開口部側を覆うマイクロホンユニットと、該マイクロホンユニット側と配線材を介して電気的に導通配置される出力コネクタとを少なくとも備えるダイナミックマイクロホンにおいて、
弾性素材により形成された前記中筒部には、その開口部側にマイクロホンユニットを一体的に保持させるとともに、前記底壁部を介して前記出力コクタを一体的に保持させて該出力コネクタと前記マイクロホンユニットとを一体化させたことを特徴とするダイナミックマイクロホン。
【発明の詳細な説明】
【技術分野】
【０００１】
本発明は、構造を簡素化するなかで、空気室の気密性を高めると同時に、振動雑音をも低減することもできるダイナミックマイクロホンに関する技術である。
【背景技術】
【０００２】
通常、ダイナミックマイクロホンにおけるマイクロホンユニットは、振動板を含んでマイクロホンケース側に対して振動自在に支持される振動部と、マイクロホンケースに固定される磁気回路などの固定部とを少なくとも備えて形成されている。この場合、振動板が音波を受けて振動した際には、ボイスコイルも磁界の中を動いて発電して音響信号として取り出される。
【０００３】
該音響信号は、マイクロホンユニットの内部で所定の電気信号に変換された後、配線材を介して出力コネクタ側へと送られ、該出力コネクタと接続される外部コネクタを介して外部の音響再生装置側へと出力されることになる。
【０００４】
また、ダイナミックマイクロホンは、コンデンサマイクロホンとは異なり、必要な低域周波数出力を得るために低域補償用の空気室（バックチャンバー）を備えることが必要とされ、該空気室の容積（等価質量）が大きければ大きいほど低域の周波数特性が改善されるとされている。
【０００５】
しかも、ダイナミックマイクロホンは、その指向特性の別により無指向性、両指向性、単一指向性および超指向性などに大別することができ、これらのうち、単一指向性のものは、カラオケやステージでのボーカル拡声用として、さらには、大きな振幅の音を収音できることから、音楽録音ではバスドラム、スネアドラム、タム等の打楽器の収音用として広く使用されている。
【０００６】
図３は、従来からあるダイナミックマイクロホンの一例を分解して示す説明図である。同図によれば、ダイナミックマイクロホン１は、マイクロホンユニット２と、その内部に空気室４ｂを確保し得る囲繞空間を有してマイクロホンユニット２を保持する中筒部３と、配線材Ｌを介してマイクロホンユニット２と電気的に接続される出力コネクタ５とを少なくとも備え、マイクロホンユニット２側を覆うヘッドカバー８と、出力コネクタ５を保持して中筒部３を覆うボディケース９とを相互に螺合させることでその全体が構成されている。なお、出力コネクタ５側から引き出されている配線材Ｌは、中筒部３の外側を経由してマイクロホンユニット２側へと電気的に接続されている。
【０００７】
これらのうち、中筒部３は、周囲を囲う周壁部３ａと、該周壁部３ａの下面側を塞ぐ底壁部３ｂとで有底筒状に形成することで、その囲繞空間により所定の容積を備えた空気室４ｂを確保することができるようになっている。
【０００８】
また、中筒部３には、底壁部３ｂの対向側に形成されている開口部４を介して、該開口部４を塞いだ状態のもとでマイクロホンユニット２が一体的に保持されている。
【０００９】
すなわち、中筒部３は、底壁部３ｂに設けられた通孔に介在配置されるゴムなどの弾性素材からなる一側ショックマウント部６と、開口部４の内側面に設けた段差部４ａを介して設置されるゴムなどの弾性素材からなる他側ショックマウント部７とを備えており、マイクロホンユニット２は、他側ショックマウント部７を介してその底部２ａ側が支持されている。
【００１０】
このように他側ショックマウント部７を介して配置されるマイクロホンユニット２は、一側ショックマウント部６に支持させて空気室４ｂ内を貫通させたボルト材Ｂをその底部２ａ側に螺着させることで、中筒部３側に一体的となって保持されている。
【００１１】
このようにして構成されるダイナミックマイクロホン１は、手持ち用として使用されたり、打楽器の収音用として大きな振動をともなう場所で使用されることが多いこともあって、とりわけ単一指向性のダイナミックマイクロホンの場合に、ハンドリングノイズなど、振動雑音の影響を受けやすいという問題があった。
【００１２】
このような問題に対しては、図３に示されているように、一側ショックマウント部６や他側ショックマウント部７を中筒部３側に介在させることで外部振動を吸収して振動雑音を低減させたり、下記特許文献１に開示されているように、空気室内に振動検出ユニットを配置し、該振動検出ユニットの振動板の振動による空気室内の圧力変化をマイクロホンユニットのダイヤフラム側に伝達するようにして、外部からの振動によるダイヤフラムの変位を抑えて振動雑音を低減させる対処法などが既に提案されている。
【特許文献１】特開平１１−１９６４８０号公報
【発明の開示】
【発明が解決しようとする課題】
【００１３】
しかし、一側ショックマウン部６や他側ショックマウント部７を中筒部３側に介在させるだけでは、外部振動を吸収する上で必ずしも十分ではないために、振動雑音を十分に低減できない不都合があった。また、上記特許文献１に開示されている従来技術による場合には、空気室内の部品点数が多くなって構造的に複雑化して、点検や保守のための分解に時間を要するといった不便があった。  
【００１４】
しかも、図３に示すマイクロホンユニット２側とコネクタ５側とは、別体に構成されているので、修理の際の分解に時間を要する不具合があった。また、ダイナミックマイクロホン１は、マイクロホンユニット２側とコネクタ５側とをヘッドカバー８とボディケース９とを介して一体化した完成品状態のもとでその性能を中間測定しない限り、良否判定ができない不都合もあった。
【００１５】
本発明は、従来技術の上記課題に鑑み、構造を簡素化するなかで、空気室の気密性の向上と振動雑音の低減化とを図ると同時に、半完成品状態のもとでその良否判定を行うことができるダイナミックマイクロホンを提供することを目的とする。
【課題を解決するための手段】
【００１６】
本発明は、上記目的を達成すべくなされたものであり、周壁部と底壁部とで画成される囲繞空間を空気室とする有底筒状を呈する中筒部と、該中筒部の開口部側を覆うマイクロホンユニットと、該マイクロホンユニット側と配線材を介して電気的に導通配置される出力コネクタとを少なくとも備えるダイナミックマイクロホンにおいて、弾性素材により形成された前記中筒部には、その開口部側にマイクロホンユニットを一体的に保持させるとともに、前記底壁部を介して前記出力コクタを一体的に保持させて該出力コネクタと前記マイクロホンユニットとを一体化させたことを最も主要な特徴とする。
【発明の効果】
【００１７】
本発明によれば、中筒部は、弾性素材で有底筒状に形成されているので、その全体をショックマウントとして機能させることで振動雑音を効果的に低減することができるほか、マイクロホンユニットと出力コネクタとを一体的に組み込むことで、その内部に確保される空気室の密閉度を高めてやることができる。
【００１８】
しかも、マイクロホンユニットを一体的に保持している中筒部は、その底壁部を介して出力コネクタをも一体的に保持させることで、その全体を一体化させてあるので、半完成品状態のもとでの性能測定を行うことによりその良否を判定することができ、完成品状態のもとでの不良品の発生をそれだけ低減させることができる。
【００１９】
また、マイクロホンユニットと出力コネクタとを一体的に組み込んでサブアセンブリー化された中筒部は、直ちにボディケースやとヘッドカバーから取り出すことができるので、その修理も簡易、かつ、迅速に行うことができる。
【発明を実施するための最良の形態】
【００２０】
図１は、本発明の一例を分解した状態で示す端面図であり、図２は、図１に示す例を組み上げた状態で示す端面図である。これらの図によれば、ダイナミックマイクロホン１１は、マイクロホンユニット１２と、その内部に空気室２５を確保し得る囲繞空間を有してマイクロホンユニット1２を一体的に保持する中筒部２２と、該中筒部２２に一体的に保持されている出力コネクタ３２とを少なくとも備え、マイクロホンユニット１２側を覆うヘッドカバー４２と、出力コネクタ３２側を含めて中筒部２２側を覆うボディケース５２とを相互に螺合させることでその全体が構成されている。
【００２１】
このうち、マイクロホンユニット１２は、その詳細構造は図示していないものの、振動板を含んでマイクロホンケース側に対して振動自在に支持される振動部と、マイクロホンケースに固定される磁気回路などの固定部とを少なくとも備えて形成されており、振動板が音波を受けて振動した際には、ボイスコイルも磁界の中を動いて発電し、これを音響信号として取り出すことができるようになっている。
【００２２】
ゴムやエラストマーなどの粘弾性材を含む弾性素材からなる中筒部２２は、周囲を囲う周壁部２３と、該周壁部２３の下面側を塞ぐ底壁部３２４で有底筒状に一体形成されており、その際に画成される囲繞空間により所定の容積を備えた空気室２５を確保することができるようになっている。また、底壁部２４は、出力コネクタ３２側を一体的に保持すべく垂設された突出部２６を備えている。
【００２３】
この場合、中筒部２２は、底壁部２４と対向する位置（図示例では上面）に開口部２７を有しており、該開口部２７側の内側面に周設された溝部２８にマイクロホンユニット２１の底部側に設けられているフランジ部１３を嵌着させることで、マイクロホンユニット１２と中筒部２２とは一体化されている。しかも、中筒部２２は、その開口部２７側をマイクロホンユニット１２で覆うことで、その内部に略気密状となった空気室２５を確保することができることになる。
【００２４】
出力コネクタ３２は、中筒部２２側に一体的に保持される適宜の構造を備えて形成されている。これを図示例に即して具体的に説明すれば、出力コネクタ３２は、底壁部２４が備える突出部２６の下面側に沿わせて配置される絶縁基台部３３と、該絶縁基台部３３の上下方向に貫通挿入されてその一端部３４ａが突出部２６側にあって空気室２５と連通している貫通孔２６ａ内に保持され、他端部３４ｂを絶縁基台部３３の下方へと突出させたコンタクトピン３４を少なくとも備えている。なお、図示例におけるコンタクトピン３４は、１本が背後に隠れた３本構成となっている。また、図中に示す符号５７は、絶縁基台部３３側に予め設けられている位置合わせのための突起（図示せず）を導入するためにボディケース５２の内側面に設けられている凹陥部である。
【００２５】
また、出力コネクタ３２は、コンタクトピン３４の一端部３４ａ側から引き出された配線材Ｌを貫通孔２６ａと空気室２５内とを経由させた上でマイクロホンユニット１２側に接続させることで、該マイクロホンユニット１２側と電気的に導通している。
【００２６】
このため、中筒部３１には、その開口部２７側にマイクロホンユニット１２側を一体的に保持させ、底壁部２４の突出部２６側に出力コネクタ３２側を一体的に保持させることで、その全体を１つのサブアセンブリーとして一体化させることができることになる。
【００２７】
また、このように一体化されたマイクロホンユニット１２、中筒部２２および出力コネクタ３２は、そのマイクロホンユニット１２側をヘッドカバー４２で覆い、出力コネクタ３２を保持させた中筒部２２側をボディケース５２で覆いながらその一方が備える雌ねじ部４３と他方が備える雄ねじ部５３とを螺合させることで、図２に示すようにダイナミックマイクロホン１１の全体が形成されることになる。
【００２８】
この場合、中筒部２２は、その周壁部２３に螺孔２９が設けられており、ボディケース５２の対応部位に設けられている通孔５４を介して挿入される螺杆５４を螺孔２９に螺合させることでボディケース５２側と一体化させることができる。
【００２９】
また、出力コネクタ３２は、図１に示すように絶縁基台部３３側への螺合を自在に形成されている止着ねじ３５をボディケース５２の基部側に設けられている通孔５５を介して絶縁基台部３３側に螺着することにより、ボディケース５２側と一体化させることができるようになっている。
【００３０】
次に、本発明の作用効果を図１および図２を参酌しながら説明すれば、中筒部２２は、その全体が例えばゴムのような弾性素材を用いて形成されており、その開口部２７側が覆われた状態のもとでマイクロホンユニット１２を一体的に保持しているので、その全体でショックマウントとしての機能を果たさせることで、外部からの振動雑音を効果的に低減することができるようになっている。
【００３１】
しかも、中筒部２２には、マイクロホンユニット１２と出力コネクタ３２とを一体的に保持させてあるので、空気室２５の気密性を高めて外部からの音波の侵入を確実に阻止することもができる。
【００３２】
特に、底壁部２４および突出部２６を貫通して空気室２５と連通している貫通孔２６ａには、コンタクトピン３４の一端部３４ａを挿入保持させることで、外部と空気室５１との間を密に閉止することで、空気室５１内への音波の侵入を阻止して収音の指向性を確保することができる。
【００３３】
また、中筒部３１には、その開口部２７側にマイクロホンユニット１２側を、底壁部２４の突出部２６側に出力コネクタ３２側をそれぞれ一体的に保持させて、その全体を１つのサブアセンブリーとして一体化させることができるので、ヘッドカバー４２とボディケース５２とを外した半完成状態のもとにおいてもその性能を中間測定して良否判定を迅速に行うことができる。したがって、完成品状態のもとでの不良品の発生をそれだけ低減させることができる。
【００３４】
しかも、配線材Ｌは、外部とは隔絶された空気室２５内を経由させてマイクロホンユニット１２側に接続することができるので、作業中に接触するなどして断線する可能性をそれだけ低くすることができる。
【００３５】
また、ダイナミックマイクロホン１１自体は、マイクロホンユニット１２と出力コネクタ３２とを一体的に保持させることでサブアセンブリー化された中筒部３１のほか、ヘッドカバー４２とボディケース５２との３部材で構成することができるので、点検や保守のための分解を極く容易に行うことができ、作業性の向上を図ることもできる。
【００３６】
以上は、本発明を図示例に基づいて説明したものであり、その具体的な構成はこれに限定されるものではない。例えば、中筒部２２は、一体成形が望ましいものの、周壁部と底壁部とを別体に形成し、相互を嵌合させて一体化するものであってもよい。また、中筒部２２は、有底筒状を呈するものであれば、円形のほか、四角形を含む多角形を呈するものであってもよい。
【図面の簡単な説明】
【００３７】
【図１】本発明の一例を分解した状態で示す端面図。
【図２】図１に示す例を組み上げた状態で示す端面図。
【図３】従来からあるダイナミックマイクロホンの一例を分解した状態で示す端面図。
【符号の説明】
【００３８】
１１  ダイナミックマイクロホン
２１  マイクロホンユニット
１３  フランジ部
２２  中筒部
２３  周壁部
２４  底壁部
２５  空気室
２６  突出部
２６ａ  貫通孔
２７  開口部
２８  溝部
２９  螺孔
３２  出力コネクタ
３３  絶縁基台部
３４  コンタクトピン
３４ａ  一端部
３４ｂ  他端部
３５  止着ねじ
４２  ヘッドカバー
４３  雌ねじ部
５２  ボディケース
５３  雄ねじ部
５４，５５通孔
５６  螺杆
５７  凹陥部
Ｌ  配線材
【図１】
2006319386.tif 000003
【図２】
2006319386.tif 000004
【図３】
2006319386.tif 000005